(57)【要約】【課題】楽しみ数を多くすると共に商品価値を高めたジグソーパズルを提供する。【解決手段】両面に図柄３，４を表示した基材１を複数のピース２に分割したジグソーパズルにおいて、一方の図柄３は世界地図のうちから任意に選択した国の地図の地形を描いた地形地図３２を利用して、当該国の国旗３３をデフォルメして表現した複数国のデフォルメ地図３１を並べて作成したデフォルメ地図一覧表３０で構成する。他方の図柄４は世界地図４０で構成する。【選択図】図１
2006217999.tif 000002
【特許請求の範囲】
【請求項１】
平板状の基材を複数のピースに分割したジグソーパズルにおいて、
前記基材の一方及び他方の両面に図柄が表示され、
前記両図柄は別の図柄であることを特徴とする、
ジグソーパズル。
【請求項２】
前記基材の一方の面の図柄は、世界の国のうちから任意に選択した複数の国の地図を並べて作成した地図一覧表であり、
前記基材の他方の面の図柄は世界地図であることを特徴とする、請求項１に
記載のジグソーパズル。
【請求項３】
前記基材の一方の面の図柄は、世界の国のうちから任意に選択した複数の国の国旗を並べて作成した国旗一覧表であり、
前記基材の他方の面の図柄は世界地図であることを特徴とする、請求項１に記載のジグソーパズル。
【請求項４】
前記基材の一方の面の図柄は、世界地図のうちから任意に選択した国の地図の地形を描いた地形地図を利用し、当該国の国旗を表現した複数国のデフォルメ地図を並べて作成したデフォルメ地図一覧表であり、
前記基材の他方の面の図柄は世界地図であることを特徴とする、請求項１に記載のジグソーパズル。
【請求項５】
請求項２ないし４のいずれかに記載のジグソーパズルと、このパズルを収容するケースとを備えたジグソーパズル装置であって、
前記ケースは、前記パズルと対応する一対の透明又は半透明の板を備え、
前記両板間に前記パズルを出し入れ自在に収容するように構成したことを特徴とする、
ジグソーパズル装置。
【請求項６】
請求項５に記載のジグソーパズル装置において、任意数のピンフラッグをさらに備え、
前記ピンフラッグは、頭板部と、この頭板部の下面中央部に突設したピンを備え、前記頭板部の上面には、世界の国のうちから任意に選択した国の地図が表示され、
前記各ピンフラッグの前記地図は夫々別の国の地図であることを特徴とする、ジグソーパズル装置。
【請求項７】
請求項６に記載のジグソーパズル装置において、前記頭板部の上面に、前記地図に代え、世界の国のうちから任意に選択した国の国旗が表示され、
前記各ピンフラッグの前記国旗は夫々別の国の国旗であることを特徴とする、ジグソーパズル装置。
【請求項８】
請求項６に記載のジグソーパズル装置において、前記頭板部の上面に、前記地図に代え、請求項４に記載のデフォルメ地図が表示され、
前記各ピンフラッグの前記デフォルメ地図は夫々別の国のデフォルメ地図であることを特徴とする、ジグソーパズル装置。
【発明の詳細な説明】
【技術分野】
【０００１】
本発明は、ジグソーパズル及びジグソーパズル装置に関するものである。
【背景技術】
【０００２】
従来、ジグソーパズルは、厚紙等よりなる平板状の基材の一方の面（表面）にのみ図柄を印刷等で表示し、前記基材を複数のピースに切断分割したもの（従来例１）が一般に知られている。この従来例１のジグソーパズルは表面の図柄だけを利用するものであるため、楽しみ方が単純になる。
【０００３】
また、他の従来のジグソーパズルとして、平板状の基材の表面に絵柄や写真等のパターンを印刷等で表示し、前記基材を複数のピースに分割すると共に各ピースの裏面にピースの配置される位置に応じたアドレス記号を表示したもの（従来例２）がある（例えば、特許文献１参照）。この従来例２はアドレス記号によりピース番号を形成し、ピースを組み合わせてパターンを再現する際にアドレス記号を利用して行なうものである。
従来例２によれば、ピースの数が多い場合であっても、ピースの組み合わせが容易に行なえる。しかし、従来例２においても、図柄は基板の表面だけにしか施されていないため、従来例１と同様の問題を有している。
【特許文献１】特開平９−２９９６１０号公報
【発明の開示】
【発明が解決しようとする課題】
【０００４】
本発明は上記のような実情に鑑み、楽しみ数を多くすると共に商品価値を向上し得るジグソーパズル及びジグソーパズル装置を提供することを目的とするものである。
【課題を解決するための手段】
【０００５】
上記目的を達成するため、本発明のうち１つの発明（第１の発明）は、平板状の基材を複数のピースに分割したジグソーパズルにおいて、前記基材の一方及び他方の両面に図柄が表示され、前記両図柄は別の図柄であることを特徴とする。なお、本発明のこの明細書において、「図柄」とは、各種の図形や絵柄、或いは模様等を含む広い概念として用いられている。
【０００６】
本発明において、前記図柄を前記基材に表示する手段は特に限定するものではなく、印刷その他の手段を任意に選択して採用することができる。
【０００７】
本発明のうち、他の１つの発明（第２の発明）は、第１の発明のジグソーパズルにおいて、前記基材の一方の面の図柄は、世界の国のうちから任意に選択した複数の国の地図を並べて作成した地図一覧表であり、前記基材の他方の面の図柄は世界地図であることを特徴とする。
第２の発明において、前記国の地図は写実的に描くこともできるが、特徴的或いは概略的等、任意にデフォルメする等により表現し、描くことができる。前記国の地図中、一部の地域や島等を省略することもできる。前記地図一覧表を構成する国の数は任意に決めることができる。この点については後述する発明においても同様である。
また、第２の発明において、前記世界地図は写実的に描くこともできるが、特徴的或いは概略的等、任意にデフォルメする等により表現し、描くことができる。前記世界地図中、一部の地域や島等を省略することもできる。この点については後述する発明においても同様である。
【０００８】
本発明のうち、さらに他の１つの発明（第３の発明）は第１の発明のジグソーパズルにおいて、前記基材の一方の面の図柄は、世界の国のうちから任意に選択した複数の国の国旗を並べて作成した国旗一覧表であり、前記基材の他方の面の図柄は世界地図であることを特徴とする。
第３の発明において、前記国旗は写実的に描くこともできるが、特徴的或いは概略的等、任意にデフォルメする等により表現して描くことができる。前記国旗一覧表を構成する国旗の国の数は任意に決めることができる。この点については後述する発明においても同様である。
【０００９】
本発明のうちさらに他の１つの発明（第４の発明）は、第１の発明のジグソーパズルにおいて、前記基材の一方の面の図柄は、世界地図のうちから任意に選択した国の地図の地形を描いた地形地図を利用し、当該国の国旗を表現した複数国のデフォルメ地図を並べて作成したデフォルメ地図一覧表であり、前記基材の他方の面の図柄は世界地図であることを特徴とする。
第４の発明において、前記国の地図の地形は写実的に描くこともできるが、特徴的或いは概略的等、任意にデフォルメする等により表現して描くことができる。この場合において、国の地図中、一部の地域や島等を省略することもできる。また、デフォルメ地図一覧表を構成する国の数は任意に決めることができる。この点については後述する発明においても同様である。
【００１０】
本発明のうち、さらに他の１つの発明（第５の発明）は、第２ないし第４の発明のいずれかに記載のジグソーパズルと、このパズルを収容するケースとを備えたジグソーパズル装置であって、前記ケースは、前記パズルと対応する一対の透明又は半透明の板を備え、前記両板間に前記パズルを出し入れ自在に収容するように構成したことを特徴とする。
【００１１】
本発明のうち、さらに他の１つの発明（第６の発明）は、第５の発明のジグソーパズル装置において、任意数のピンフラッグをさらに備え、前記ピンフラッグは、頭板部と、この頭板部の下面中央部に突設したピンを備え、前記頭板部の上面には、世界の国のうちから任意に選択した国の地図が表示され、前記各ピンフラッグの前記地図は夫々別の国の地図であることを特徴とする。
【００１２】
本発明のうち、さらに他の１つの発明は、第６の発明のジグソーパズル装置において、前記頭板部の上面に、前記地図に代え、世界の国のうちから任意に選択した国の国旗が表示され、前記各ピンフラッグの前記国旗は夫々別の国の国旗であることを特徴とする。
【００１３】
本発明のうち、さらに他の１つの発明（第８の発明）は、第６の発明のジグソーパズル装置において、前記頭板部の上面に、前記地図に代え、第４の発明に記載のデフォルメ地図が表示され、前記各ピンフラッグの前記デフォルメ地図は夫々別の国のデフォルメ地図であることを特徴とする。
【発明の効果】
【００１４】
本発明によれば次のような効果を奏する。（１）ジグソーパズルの両方の面に別の図柄が表示されているので、ピースの両方の面を利用してジグソーパズルを楽しむことができる。また、各ピースの一方又は他方の面のうち、一致する面を選択しながらピースを組み合わせるものであるため、ピースの組み合わせ方が複雑化し、楽しみが増大する。したがって、ジグソーパズルの商品価値を高めることができる。（２）第２ないし第８の発明によれば、前記効果に加え、各ピースの一方の面を利用することにより、ジグソーパズルを楽しみながら世界の国の地図や図形、又は世界の国の国旗を必然的に記憶（学習）することができる。また、ピースの他方の面を利用することにより、ジグソーパズルを楽しみながら世界地図を必然的に記憶（学習）することができる。（３）第４の発明によれば、上記した効果に加え、ピースの一方の面を利用することにより、ジグソーパズルを楽しみながら世界の国の地図の地形及び国旗を同時に、かつ、必然的に記憶（学習）することができる。（４）第５ないし第８の発明によれば、上記した効果に加え、ジグソーパズルを額、壁掛け或いは立て掛け等の装飾品として使用するのに便利になる。
【発明を実施するための最良の形態】
【００１５】
以下、図面を参照して本発明の実施の形態の一例を説明する。
【００１６】
図１は本発明のジグソーパズルの一実施の形態を示す一方の面から見た平面図（ａ）と他方の面から見た平面図（ｂ）、図２は図１（ａ）の拡大平面図、図３は図１（ｂ）の拡大平面図、図４は図２の一部を拡大して示す平面図、図５は図４のＡ−Ａ線で切断し、一部を拡大して示す断面図、図６はデフォルメ地図の一例を示す説明図、図７は前記ジグソーパズルの製造工程の一例を示す説明図である。
なお、図１（ａ）と図１（ｂ）及び図２と図３に示す後述する切断線１５（分割線）は、図面上において、実際には対称に表れるものであるが、ここでは同一に表記したものが開示されている。
【００１７】
上記図１ないし図７において、この実施の形態のジグソーパズル１００は、平板状の基材１を任意の手段で分割して形成した複数のピース２…２を備え、基材１の一方及び他方の両面には図柄３，４が表示されている。
【００１８】
この実施の形態の前記基材１は長方形に形成したものが開示されている。この場合、基材１の形状は正方形，多角形，円形その他任意の形状に変更可能なものである。
基材１の大きさは任意に決定できるものであるが、例えばＢ５版ないしＡ３版程度の大きさに形成することができる。但し、基材１の大きさは上記範囲内に限定するものではない。
【００１９】
前記基材１を構成する素材は特に限定するものではなく、任意の素材を選択して採用できるものであるが、例えば、紙材やプラスチック等を採用することができる。この実施の形態の基材１は、厚紙１１の両面に普通紙，上質紙，クラフト紙，合成紙その他の紙１２，１３を重合接着して構成してある。前記図柄３及び４は前記紙１２及び１３の表面に表示されている。
【００２０】
実施の形態のジグソーパズル１００は、平盤打抜機等を用いて任意の形状、かつ、複数のピース２に切断して分割し、構成されている。ジグソーパズルを構成するピース２の数は基材１の大きさ等に応じて任意に決定する。この実施の形態では５０４個のピース２で構成した例が開示されている。但し、上述したように、ピース２の数量は任意に増減できる。また、当然のことながら、各ピース２の形状についても図示のものに限定するものではない。
【００２１】
次に実施の形態のジグソーパズルの製造方法の一例について図７を参照して説明する。図７（ａ）〜（ｃ）に示すように、基材１の一方の面（図において上面）から平盤打抜機等の切断刃１４を押し込んで、打抜加工し、所定の形状、かつ任意数のピース２に切断して分割する。
上記工程により、図７（ｃ）に示すように、切断刃１４によって形成された切断線１５（分割線）の図において上端周縁部、即ち、各ピース２の上端周縁部は刃１４で押圧されて縁取り２１が施され、綺麗に仕上げられる。
【００２２】
しかし、切断線１５の図において下端周縁部、即ち、各ピース２の下端周縁部は切断線１５がそのまま残されて角ばり、時にはバリ等が生じる等、美感を損ねる問題が起こる。
そのため、この実施の形態では、上記打抜加工をした後、各ピース２の下端周縁部に沿って押圧加工し、縁取り２２を施してある。これにより、各ピース２の下端周縁部も上端周縁部と同様に綺麗に仕上げられる。前記縁取り２２の加工は、例えば前記切断刃１４の刃先の輪郭と同一形状の押型を用いてホットプレス加工を行なう等により形成することができる。この場合、前記打抜加工及び前記プレス加工は同一ライン上で行なうことができる。
【００２３】
基材１に図柄３，４を表示する手段は特に限定するものではなく、各種の印刷その他の手段を任意に選択して採用することができる。
【００２４】
基材１の一方の面の図柄３と他方の面の図柄４は別の図柄で構成されている。この実施の形態の一方の面の図柄３は複数国のデフォルメ地図３１を並べて作成したデフォルメ地図一覧表３０で構成されている。
【００２５】
前記デフォルメ地図３１は、図４及び図６に最も詳細に示すように、世界地図のうちから任意に選択した国の地図の地形を描いた地形地図３２を利用して、当該国の国旗３３を表現し、創作してある。前記デフォルメ地図３１は、該当する国旗３３を、地形地図３２の地形全体を利用し、その国旗３３に使用されている色彩を用いてデフォルメして表現し、創作されている。
前記国の選択は任意に行なえる。また、前記地図一覧表３０を作成するデフォルメ地図３１の数は基材１の大きさ等に応じて任意に決定する。この実施の形態では１７０ヶ国のデフォルメ地図３１を略等間隔を存して並べて構成した例が開示されている。但し、上述したように、デフォルメ地図３１の数は任意に増減できる。
【００２６】
前記地形地図３２は、該当する国の地形（形状）を写実的に描くこともできるが、特徴的或いは概略的等、任意にデフォルメする等により表現して描くことができる。この場合において、地図中、一部の地域や島等を省略してもよい。前記各デフォルメ地図３１には国名３４が表記されている。
【００２７】
デフォルメ地図３１は前記したように、地形地図３２の全体を利用し、その国の国旗３３を色彩を用いてデフォルメして表現し、創作されている。
実施の形態では、例えば日本の国のデフォルメ地図３１は、地形地図３２の本州のほぼ中部地域から青森県のエリアを赤色で彩色し、それ以外の地域を白色で彩色して作成されている。なお、日本国の地形地図３２は、四国及び沖縄並びに大島その他の島は省略されている。
【００２８】
また、アメリカの国のデフォルメ地図３１は、アラスカやハワイ等を省略して地形地図３２を作成し、この地形地図３２の全体を利用し、星条旗を色彩を利用して描いて作成されている。さらにまた、フランスの国のデフォルメ地図３１は、フランスの国の地形地図３２を青色，白色及び赤色でほぼ三分割して彩色して作成されている。さらにまた、イタリアの国のデフォルメ地図３１は、イタリアの国の地形地図３２を、イタリアの国旗３３に使用されている色彩、即ち、緑色，白色及び赤色で区分けして彩色して作成されている。
【００２９】
なお、上記したデフォルメ地図は一例として開示したもので、上記の構成に限定されるものではなく、地形地図３２を利用して、その国の国旗３３に使用されている色彩を用いて自由にデフォルメして表現し、それぞれの国のデフォルメ地図を作成することができる。また、所望に応じ、デフォルメ地図３１の中に都市等のマークを表示することもできる。
【００３０】
この実施の形態では上記したように、基材１の一方の面の図柄３は前記地図一覧表３０で構成されている。したがって、この面を利用することにより、ジグソーパズルを楽しみながら世界の国の地図の地形や国旗の知識を必然的に収得することができる。また、前記図柄３は趣雅に富む意匠美を備えており、優れた装飾的効果も発揮する。
【００３１】
この実施の形態の前記他方の面の図柄４は世界地図４０で構成されている。また、世界地図４０には経線４１，赤道４２及び緯線４３が表示されている。前記赤道４２は赤色系の線で表示されている。
【００３２】
前記世界地図４０の構成は写実的、或いは任意にデフォルメする等、自由に表現して作成することができる。前記地図４０には国名や主要な都市名等を記載するとよい。最小限においても国名は記載する。但し、全ての国名を記載しなくてもよい。
また、世界地図４０中、一部地域や島等を省略することができる。この実施の形態では北極及び南極大陸並びに一部の島を省略した世界地図が描かれている。
【００３３】
この実施の形態では上記したように、基材１の他方の面の図柄４は世界地図４０で構成されている。したがって、この面を利用することにより、ジグソーパズルを楽しみながら世界地図の知識を必然的に収得することができる。
【００３４】
なお、この実施の形態のジグソーパズは、基材１の一方の面図柄３を前記デフォルメ地図一覧表３０で構成した例を開示したが、前記図柄３を、世界の国のうちから、任意に選択した複数の国の地図を並べて作成した地図一覧表で構成してもよい。また、前記図柄３を、世界の国から任意に選択した複数の国の国旗を並べて作成した国旗一覧表で構成してもよい。
これらの構成を採用することにより、前者の場合には、ジグソーパズルを楽しみながら世界の国の地図や図形（形状）の知識を必然的に収得することができる。また、後者の場合には、ジグソーパズルを楽しみながら世界の国の国旗の知識を必然的に収得することができる。
【００３５】
図８は本発明の一実施の形態のジグソーパズル装置に採用したケースの一例を示す斜視図、図９はジグソーパズルの一方の面に透明フィルムを添着した状態を示す説明図、図１０は前記パズルの両方の面に透明フィルムを添着した状態を示す説明図、図１１は前記パズルを前記ケースに収容する工程を示す説明図、図１２は前記パズルを前記ケースに収容した状態を示す説明図である。この実施の形態において、ジグソーパズルは上述した実施の形態のジグソーパズル１００を採用しているため、前記パズル１００の構成等については同一符号を付し、説明は省略する。
【００３６】
上記図８ないし図１２において、この実施の形態のジグソーパズル装置は、上述した実施の形態のジグソーパズル１００と、このパズル１００を収容するケース５とを備えている。
【００３７】
前記ケース５は、前記パズル１００と対応する大きさの一対の透明又は半透明の板５１，５２と、前記両板５１，５２に取付ける縁枠体５３とを備えている。前記両板５１，５２は適当な肉厚の透明又は半透明性のプラスチック板等で構成されている。前記両板５１，５２の厚みは特に限定されるものではないが、例えば、約０．５ミリ〜約１．５ミリ程度に設定できる。
【００３８】
前記縁枠体５３はプラスチックや木材、或いは紙材等で構成されている。縁枠体５３は適当な肉厚及び巾を有し、前記板５１，５２の巾（図８において板の上下の寸法）と対応する長さの左右の側枠５４，５５と、前記板５１，５２の長さ（図８において板の左右の寸法）と対応する長さの下枠５６とを備えている。
【００３９】
前記縁枠体５３は、両側枠５４，５５の一端（図において下端）を下枠５６の両端に固定し、或いは一体成形して略コ字状に形成されている。
前記両板５１，５２は前記パズル１００の基材１の肉厚の寸法と略対応する間隔を存して対設され、前記両板５１，５２の両端（図において左右両端）を両側枠５４，５５に係合固定すると共に下端を下枠に係合固定されている。
【００４０】
前記ケース５の両板５１，５２の図８において上端は開口して出入口５７が形成されていると共に、前記板５１と５２との間で前記パズル１００を収容する収容部５８が形成されている。そして、出入口５７を通じて前記パズル１００を前記両板５１，５２間の収容部５８へ出し入れ自在に収容するように構成されている。
【００４１】
この実施の形態のケース５は上記のように構成され、前記パズル１００は、例えば、次のようにケース５に収容される。即ち、図９に示すように、ジグソーパズル１００の基材１の一方の面に、延伸又は無延伸のポリプロピレン（ＰＰやＯＰ等）その他プラスチックフィルム等よりなり、基材１と対応する大きさの透明フィルム５９を、弱粘着剤で剥離可能に粘着する。或いは、図１０に示すように、基材１の両方の面に前記透明フィルム５９を前記と同様に粘着する。そして、上記状態で図１１に示すように、前記パズル１００を縁枠体５３の出入口５７から両板５１，５２間へ挿入して収容部５８へ収容する（図１２参照）。
【００４２】
上記のようにジグソーパズル１００を縁枠体５３に収容し、これを額、壁掛け、或いは立て掛け等の装飾品として使用する。また、パズルゲームを行なう際等には、前記パズル１００をケース５から取り出し、前記フィルム５９を剥して行なう。なお、前記ケース５の適当部に吊り下げ用具や立て掛け用具等を設けることもできる。
【００４３】
なお、この実施の形態では、前記パズル１００の基材１の一方の面の図柄３をデフォルメ地図一覧表３０で構成した例について説明したが、前記図柄３は上述したジグソーパズルと同様に、デフォルメ地図一覧表３０に代え、地図一覧表、或いは国旗一覧表で構成してもよい。
【００４４】
図１３は前記実施の形態のジグソーパズル装置に採用されるフラッグピンの一例を示す説明図、図１４は図１３に示すフラッグピンの１個を拡大して示す側面図である。
【００４５】
この実施の形態のジグソーパズル装置は、前記実施の形態のジグソーパズル装置において、任意数のフラッグピン６…６を備えている。フラッグピン６の数は特に限定するものではないが、例えば約２０〜約５０個程度を挙げることができる（但し、数の増減は自由に行なえる）。
【００４６】
前記フラッグピン６は、適当な大きさ（例えば、約８ミリ〜約１５ミリ）の円形，四角形その他の形状（図示では円形）に形成した頭板部６１と、この頭板部６１の下面中央部に突設したピン６２を備える。なお、頭板部６１の大きさは上記範囲に限定するものではない。
【００４７】
前記頭板部６１の上面には、世界の国のうちから任意に選択した国の地図（図示せず）が表示されている。前記各フラッグピン６の前記地図は各ピン毎にそれぞれ別の国の地図が表示されている。
前記国の選択は任意に行なえる。また、前記地図を表示する手段は上述した実施の形態と同様に各種の印刷その他の手段を任意に選択して採用する事ができる。
【００４８】
この実施の形態のフラッグピン６は、図１４に示すように、頭板部６１の上面に頭板部６１と同大のシール等の紙材６３が接着等により固着してある。そして、前記地図は紙材６３の表面に表示されている。
【００４９】
この実施の形態のジグソーパズル装置は上記のように任意数のフラッグピン６を備えている。前記フラッグピン６は、例えば次のように使用される。即ち、前記実施の形態のジグソーパズル装置において説明したように、前記パズル１００を縁枠体５３に収容する。そして、前記世界地図４０の図柄３が表示されている面に、ケース５の板５１（又は５２）の上から、フラッグピン６に表示されている国の地図に該当する部位に位置させてピン６２を刺入する。この場合、前記ピン６は、例えば自分や家族等が旅行したことがある国や思いでのある国等の部位へ刺入する。なお、上記使用例は一例として説明したもので、上記に限定するものではない。この構成を採用すると、ジグソーパズル装置の利用価値がさらに向上する。
【００５０】
なお、前記実施の形態では、フラッグピン６に国の地図を表示した例について説明したが、上述したジグソーパズルと同様に、前記地図に代え、世界の国のうちから任意に選択した国の国旗を表示してもよい。また、前記地図に代え、前記デフォルメ地図３１を表示する構成を採用してもよい。この場合においても、各フラッグピン６の前記国旗又はデフォルメ地図は、各ピン毎にそれぞれ別の国の国旗又はデフォルメ地図が表示されている。
【００５１】
また、前記した実施形態は一例として開示したもので、本発明は上記実施の形態に限定されるものではなく、特許請求の範囲に記載の技術思想を越脱しない範囲内において任意に変更可能なものである。
【図面の簡単な説明】
【００５２】
【図１】本発明のジグソーパズルの一実施の形態を示すもので、同図（ａ）は一方の面から見た平面図、同図（ｂ）は他方の面から見た平面図である。
【図２】図１（ａ）の拡大平面図である。
【図３】図１（ｂ）の拡大平面図である。
【図４】図２の一部を拡大して示す平面図である。
【図５】図４のＡ−Ａ線で切断し、一部を拡大して示す断面図である。
【図６】前記ジグソーパズルに採用したデフォルメ地図の一例を示す説明図である。
【図７】図７（ａ）ないし（ｅ）は前記ジグソーパズルの製造工程の一例を示す説明図である。
【図８】本発明の一実施の形態のジグソーパズル装置に採用したケースの一例を示す斜視図である。
【図９】前記ジグソーパズルの一方の面に透明フィルムを添着した状態を示す説明図である。
【図１０】前記ジグソーパズルの両方の面に透明フィルムを添着した状態を示す説明図である。
【図１１】前記ジグソーパズルを前記ケースに収容する工程を示す説明図である。
【図１２】同上ジグソーパズルを同上ケースに収容した状態を示す説明図である。
【図１３】前記ジグソーパズル装置に採用されるフラッグピンの一例を示す説明図である。
【図１４】図１３に示すフラッグピンの１個を拡大して示す側面図である。
【符号の説明】
【００５３】
１      基材
２      ピース
３      図柄
４      図柄
３０    デフォルメ地図一覧表
３１    デフォルメ地図
３２    地形地図
３３    国旗
４０    世界地図
【図１】
2006217999.tif 000003
【図２】
2006217999.tif 000004
【図３】
2006217999.tif 000005
【図４】
2006217999.tif 000006
【図５】
2006217999.tif 000007
【図６】
2006217999.tif 000008
【図７】
2006217999.tif 000009
【図８】
2006217999.tif 000010
【図９】
2006217999.tif 000011
【図１０】
2006217999.tif 000012
【図１１】
2006217999.tif 000013
【図１２】
2006217999.tif 000014
【図１３】
2006217999.tif 000015
【図１４】
2006217999.tif 000016